(57)【要約】【課題】水素の供給を迅速に、且つ、経済的に実施し易いようにする。【解決手段】水素を製造する水素製造所１と、水素を使用する水素使用所２と、水素製造所１と水素使用所２との水素の販売仲介を行う仲介所３とを、ネットワークＮを介して情報送受信自在に連結し、仲介所３において、水素製造所１から得られた所在地情報１Ｂ、販売用水素製造計画情報１Ｃ、水素販売価格情報１Ｄの各最新情報、及び、水素使用所２から得られた所在地情報２Ｂ、購入用水素使用計画情報２Ｃの各最新情報が収集され、購入水素使用計画情報２Ｃによる水素使用量の供給を行える水素製造所候補を、各水素製造所１の中から選択し、それぞれについて、水素運搬額Ｙ１と水素販売価格Ｙ２との合計である合計販売額Ｙを算出し、その中での最安値について水素製造所１の名前を抜いた状態で水素使用所２に提示して販売仲介を行う。【選択図】図１
2008250501.tif 000002
【特許請求の範囲】
【請求項１】
水素を製造する水素製造所と、水素を使用する水素使用所と、前記水素製造所と水素使用所との水素の販売仲介を行う仲介所とを、ネットワークを介して情報送受信自在に連結し、前記仲介所において、前記水素製造所から得られた所在地情報、販売用水素製造計画情報、水素販売価格情報の各最新情報、及び、前記水素使用所から得られた所在地情報、購入用水素使用計画情報の各最新情報が収集され、前記購入水素使用計画情報による水素使用量の供給を行える水素製造所候補を、前記各水素製造所の中から選択し、それぞれについて、水素運搬額と水素販売価格との合計である合計販売額を算出し、その中での最安値について前記水素製造所の名前を抜いた状態で前記水素使用所に提示して販売仲介を行う水素販売仲介方法。
【請求項２】
水素の運搬は、水素吸蔵合金に水素を吸収貯蔵した状態で行う請求項１に記載の水素販売仲介方法。
【請求項３】
前記水素使用所から得られた前記購入用水素使用計画情報に基づいて、前記水素製造所の中から増産可能な状況の水素製造所に対して、前記仲介所から水素の増産を勧める請求項１〜２の何れか一項に記載の水素販売仲介方法。
【発明の詳細な説明】
【技術分野】
【０００１】
本発明は、水素を製造する水素製造所と、水素を使用する水素使用所との間で、仲介所が、水素の販売仲介を行う水素販売仲介方法に関する。
【背景技術】
【０００２】
従来、この種の水素販売仲介方法としては、仲介所が、水素を使用する水素使用所からの注文を受け、その注文に応じた水素を水素製造所に発注して、水素製造所から、例えば、ボンベ等に水素を充填したものを水素使用所に運搬させる方法をとっているのが一般的であった。
尚、この様な従来技術に関しては、当業者の間で広く知られているものであるが、該当する水素販売仲介方法に関して詳しく言及した特許文献などは見あたらないので、先行技術文献は示していない。
【発明の開示】
【発明が解決しようとする課題】
【０００３】
上述した従来の水素販売仲介方法によれば、水素使用所からの注文があった時点から仲介所の仲介業務が開始し、更には、水素製造所にいたっては、仲介所からの注文があって始動することとなり、結果的には、水素の需要から、供給までに時間が掛かりやすい場合があると共に、水素の調達が、小数の限られた水素製造所の中からのみ行われることになり易く、価格競争が少ない市場となって水素の材料コストの低減が困難になり易い等の問題点があった。
また、水素使用所と水素製造所とは、常に一定の立場にあるばかりでなく、例えば、製造所内で水素を使用する水素製造所もあり、この場合は、水素製造所は水素使用所の立場を取ることもあり、その結果、日頃から付き合いのある水素使用所や水素製造所どうしの狭い取引範囲でのメンバーに限られた仲介になり易かった。
【０００４】
従って、本発明の目的は、上記問題点を解消し、広範囲のマーケットを形成でき、水素の供給を迅速に、且つ、経済的に実施し易い水素販売仲介方法を提供するところにある。
【課題を解決するための手段】
【０００５】
本発明の第１の特徴構成は、水素を製造する水素製造所と、水素を使用する水素使用所と、前記水素製造所と水素使用所との水素の販売仲介を行う仲介所とを、ネットワークを介して情報送受信自在に連結し、前記仲介所において、前記水素製造所から得られた所在地情報、販売用水素製造計画情報、水素販売価格情報の各最新情報、及び、前記水素使用所から得られた所在地情報、購入用水素使用計画情報の各最新情報が収集され、前記購入水素使用計画情報による水素使用量の供給を行える水素製造所候補を、前記各水素製造所の中から選択し、それぞれについて、水素運搬額と水素販売価格との合計である合計販売額を算出し、その中での最安値について前記水素製造所の名前を抜いた状態で前記水素使用所に提示して販売仲介を行うところにある。
【０００６】
本発明の第１の特徴構成によれば、水素製造所と水素使用所と仲介所とは、ネットワークを通じて仲介に係わる情報の送受信ができる状態に連結されているから、より広範囲の水素製造所や水素使用所がネットワークに参加することが可能となる。
また、前記仲介所において、前記水素製造所から得られた所在地情報、販売用水素製造計画情報、水素販売価格情報の各最新情報、及び、前記水素使用所から得られた所在地情報、購入用水素使用計画情報の各最新情報が収集され、前記購入水素使用計画情報による水素使用量の供給を行える水素製造所候補を、前記各水素製造所の中から選択するから、水素使用者による経時的な水素の需要状況と、水素製造者による経時的な水素の供給状況とを合わせたリアルタイムの仲介を実施することが可能となり、迅速な水素の供給を叶えることが可能となる。
また、この場合、一件の水素使用所からの需要を満たすために、一件の水素製造所からの供給を割り当てることの他、前記販売用水素製造計画情報を基に、複数の水素製造所からの供給を割り当てるといった方法をとることも何ら問題なく実施することができる。
そして、前記各水素製造所の中から水素の供給を行う水素製造所を選択するにあたり、それぞれの候補について、水素運搬額と水素販売価格との合計である合計販売額を算出し、その中での最安値について前記水素使用所に提示して販売仲介を行うから、それぞれの立地条件や経済条件を総合的に加味して、最も経済的な合計販売額（総合価格）で水素を供給することが可能となる。
即ち、水素の供給を迅速に、且つ、経済的に実施することが可能となる。
そして、前記仲介所から前記水素使用所へ提示する事項には、水素製造所の名前は含めないから、水素使用所が水素供給を受けるにあたり、取引相手を従来のような決められた付き合い範囲の中だけに固執して選択することを防止でき、例えば、選択された水素製造所が、水素使用所の同業関係にあって本来なら取り引きの対象とならないような場合でも、名前を伏せることで、ビジネスに特化した状態での仲介を実現することが可能となり、仲介対象の拡大化と、更なるコスト追求を叶えることが可能となる。
【０００７】
本発明の第２の特徴構成は、水素の運搬は、水素吸蔵合金に水素を吸収貯蔵した状態で行うところにある。
【０００８】
本発明の第２の特徴構成によれば、本発明の第１の特徴構成による上述の作用効果を叶えることができるのに加えて、従来から多用されている高圧ボンベ等を使用しない状態で水素を運搬することができるから、極めて、運搬に係わる煩雑さを軽減することが可能となる。例えば、従来であれば、高圧ボンベを取り扱うための有資格者配置の問題や、運搬に伴う危険回避策を講じる必要があったり、運搬の全般にわたって手間が掛かると言った問題点があったが、本特徴構成によれば、水素を吸収貯蔵した状態の水素吸蔵合金を例えばタンクに充填したまま常圧環境下で運搬する等の手法をとることが可能となり、余分な手間を掛けずに、効率よく水素の運搬を叶えることができる。
また、水素吸蔵合金は、その体積の１０００倍程度の水素を吸蔵することが可能で、極めて体積効率が高い。更には、水素吸蔵に当たっての消費エネルギーが非常に小さいから、エネルギー効率も極めて高い。
【０００９】
本発明の第３の特徴構成は、前記水素使用所から得られた前記購入用水素使用計画情報に基づいて、前記水素製造所の中から増産可能な状況の水素製造所に対して、前記仲介所から水素の増産を勧めるところにある。
【００１０】
水素製造においては、製造設備の稼動率が低い製造状態に比べて、フル稼動の製造状態の方が、一般的に製造効率が良好となり、製造単価を低く抑えることが可能である。この意味より、本発明の第３の特徴構成によれば、本発明の第１〜２の何れかの特徴構成による上述の作用効果を叶えることができるのに加えて、増産可能な水素製造所に水素の増産を勧めて供給拡大を図ることで、水素使用者に対してより低価格の水素を提供することが可能となる。そして、当然の事ながら水素製造所に対しては、収益の増加を見込むことが可能となり、水素市場の活性化を図ることが可能となる。
【発明を実施するための最良の形態】
【００１１】
以下に本発明の実施の形態を図面に基づいて説明する。
【００１２】
図１は、本発明の水素販売仲介方法を実施可能な水素販売仲介システムＳを示す模式図である。
前記水素販売仲介システムＳは、水素を製造する水素製造所１と、水素を使用する水素使用所２と、前記水素製造所１と水素使用所２との水素の販売仲介を行う仲介所３とを、ネットワークＮを介して情報送受信自在に連結して構成されている。
そして、仲介所３は、水素使用所２に安価に水素が届けられる条件を割り出して水素使用所２に提示して、発注があれば、該当する水素製造所１から前記水素使用所２に向けて水素を運搬するように販売仲介するものである。
【００１３】
前記水素製造所１では、前記ネットワークＮに連結した情報端末４によって、その製造所名情報１Ａや所在地情報１Ｂ、及び、販売用水素製造計画情報１Ｃ、水素販売価格情報１Ｄ等の各最新情報を、前記仲介所３のサーバコンピュータ５に対して送信することができる。
因みに、前記販売用水素製造計画情報１Ｃとは、例えば、今後一日毎の販売用水素製造計画量等の情報を含むものである。従って、水素使用所２の水素の要求に対して、販売用水素製造計画情報１Ｃを基にすることでその水素製造所１から出荷できる水素の量を割り出すことが可能となる。
また、水素製造所１における水素製造に関しては、例えば、１３Ａなどの都市ガスを原料とした水素リッチガスから水や二酸化炭素や一酸化炭素やメタンや窒素などの不純物を吸着除去して高純度水素を精製する方式の水素製造装置６を用いることができる。そして、精製された水素は、例えば、水素貯蔵タンク７に収容した粉粒状の水素吸蔵合金８に吸蔵させて貯蔵することができる。そして、その水素貯蔵タンク７のまま、例えば車載する等の手段で水素を運搬することができる。
水素吸蔵合金８に対する水素の吸蔵は、例えば、水素貯蔵タンク７を冷却装置（不図示）により冷却することによって実施される。また、水素吸蔵合金８に吸蔵された水素を放出する場合には、例えば、水素貯蔵タンク７を加熱装置（不図示）によって加熱することによって実施される。
尚、水素吸蔵合金８の例としては、（Ａ）（Ｂ）５で表される（Ａ）がＬａ，Ｃａ，Ｍｍ（ミッシュメタル）、（Ｂ）がＮｉを主成分とする合金、（Ａ）（Ｂ）２で表される（Ａ）がＴｉ，Ｚｒ、（Ｂ）がＭｎ，Ｃｒ，Ｖを主成分とする合金、（Ａ）（Ｂ）で表される（Ａ）がＴｉ、（Ｂ）がＣｏ，Ｍｎ，Ｆｅ，Ｃｕを主成分とする合金、（Ａ）２（Ｂ）で表される（Ａ）がＭｇ、（Ｂ）がＮｉ，Ｃｕを主成分とする合金、Ｔｉ，Ｃｒを主成分とする体心立方構造をもつ合金、Ｖを主成分としたＴｉ，Ｃｒ，Ｆｅ，Ｎｉとの合金等が挙げられる。
【００１４】
前記水素使用所２では、前記ネットワークＮに連結した情報端末９によって、その使用所名情報２Ａや所在地情報２Ｂ、及び、購入用水素使用計画情報２Ｃ等の各最新情報を、前記仲介所３のサーバコンピュータ５に対して送信することができる。
因みに、前記所在地情報２Ｂは、先に説明した水素製造所１の所在地情報１Ｂを基にして、両者間の運搬経路の設定や、その運搬に要する水素運搬額の割り出しに使用することができる。
また、前記購入用水素使用計画情報１Ｃとは、例えば、今後一日毎の購入用水素使用計画量等の情報を含むもので、前述の通り、前記販売用水素製造計画情報１Ｃと対比させることで、水素使用所２での水素使用計画量を満たすための水素製造所１の候補を挙げるのに使用することができる。
【００１５】
前記仲介所３には、前述の通りサーバコンピュータ５が設置されており、前記水素製造所１や水素使用所２からの最新情報を受信すると共に、それぞれの情報から、最適な需要供給条件を割り出している。
本実施形態における仲介所３による水素販売仲介は、前記サーバコンピュータ５によって、前記購入水素使用計画情報２Ｃによる水素使用量の供給を行える水素製造所候補を、前記各水素製造所１の中から選択し、それぞれについて、水素運搬額Ｙ１と水素販売価格Ｙ２との合計である合計販売額Ｙを算出し、その中での最安値となる組み合わせを求めるものである。そして、その結果を前記水素使用所２に提示して、それに対する水素使用所２からの発注があると、該当する水素製造所１に対して、前記水素使用所２への水素販売指示を出して運搬させると言った流れで販売仲介が行われる。
尚、仲介所３から前記水素使用所２へ提示する事項には、水素製造所１の名前は含んでいない。また、一件の水素使用所２からの水素需要依頼に対しては、一件の水素製造所１で対応させることに限らず、複数件の水素製造所１からの水素供給によって対応させることも可能である。一方、一件の水素製造所１からの水素供給で、複数件の水素需要をまかなうことも可能である。
【００１６】
本実施形態の水素販売仲介方法によれば、より広範囲の水素製造所や水素使用所がネットワークに参加することが可能となり、より広い水素マーケットを構築でき、その中での水素のやり取りによって、無駄な水素生産を減少させ、より経済的な水素の需要供給を叶えることが可能となる。そして、取引価格は、運搬額も含めた実質的な最安値を提示できるから、より経済的な水素の取り引きが可能となる。
また、仲介情報は水素マーケットでのリアルタイム情報を基に実施されるから、より迅速な水素の供給を叶えることが可能となる。
そして、より広い水素マーケットの構築に関しては、水素製造所の名前を伏せることによって、水素使用者の選択の範囲がより広がる結果となり、更に経済価格の追求が可能となる。
一方、水素の運搬に関しても、水素を水素吸蔵合金に吸収貯蔵した状態で行うから、余分な手間を掛けずに、効率よく実施できるようになる。
【００１７】
〔別実施形態〕
以下に他の実施の形態を説明する。
【００１８】
〈１〉  当該水素販売仲介方法においては、先の実施形態で説明した手法に限るものではなく、例えば、水素の運搬に関しては、水素吸蔵合金に水素を吸収貯蔵した状態で行うことに限らず、例えば、高圧ボンベに水素を充填した状態で行うものであったり、各水素使用所との水素製造所を連結したパイプラインを介して運搬するものであっても良い。但し、先の実施形態で説明したように水素吸蔵合金に水素を吸収貯蔵した状態で行うことは、手間の削減や安全面においても好ましいものである。
〈２〉  前記水素製造所１と、水素使用所２と、仲介所３とは、先の実施形態で説明したように独立して役割を兼務しないものに限るものではなく、例えば、状況によっては、水素製造所１が水素使用所２になったり、その逆に、水素使用所２が水素製造所１になることもあり得る。即ち、水素製造設備を保有すると共に、水素消費設備をも保有する施設においては、水素の消費と製造とのバランスが変化することで、水素製造所１となったり、水素使用所２となることがある。
また、仲介所３は、水素製造所１や水素使用所２とは独立しているのが好ましいが、例えば、何れかが兼務するものであっても良い。また、仲介所３のアクションとして、前記水素使用所２から得られた前記購入用水素使用計画情報２Ｃに基づいて、前記水素製造所１の中から増産可能な状況の水素製造所１に対して、前記仲介所３から水素の増産を勧めることを追加するものであってもよい。
【００１９】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００２０】
【図１】水素販売仲介システムを示す模式図
【符号の説明】
【００２１】
１      水素製造所
１Ｂ    所在地情報
１Ｃ    販売用水素製造計画情報
１Ｄ    水素販売価格情報
２      水素使用所
２Ｂ    所在地情報
２Ｃ    購入用水素使用計画情報
３      仲介所
８      水素吸蔵合金
Ｎ      ネットワーク
Ｙ      合計販売額
Ｙ１    水素運搬額
Ｙ２    水素販売価格
【図１】
2008250501.tif 000003